(57)【特許請求の範囲】
【請求項１】
浴槽底面の下側に床面を設けて二重底とし、上側の底面に多数の小孔をあけた気泡面を形成させると共に、上記床面に凹所を設け、この凹所に外部に貫通する排水管を直立させると同時に、該排水管の上部を上記気泡面に支持させ、且つ上記凹所に入口を持つ排水管の内部に螺入する開閉操作棒を配置し、該開閉操作棒の操作により排水路を開閉させることを特徴とする気泡発生器付浴槽における水抜き装置。
【発明の詳細な説明】
【０００１】
【発明の属する技術分野】
本発明は、自力では入浴できない身体的なハンディの有る人のための気泡発生器付入浴装置や一般の気泡発生器付入浴装置等に係わり、特に、気泡発生装置に残留してしまう残留水を排水する水抜装置に関するものである。
【０００２】
【従来の技術】
従来、身体的なハンディの有る人のための入浴用の浴槽は、図６，７に示すように、入浴者を担架１ごと昇降台１２で昇降して入出浴させるＦＲＰ製の槽本体１０と、上記槽本体１０の操作を行う操作部１３とからなる。そして、上記浴槽本体１０内に気泡発生器１５を内蔵するとともに、操作部１３には上記気泡発生器１５に空気を送り込む吸引口とそのエアフィルタを内装させている。更に、お湯Ｗを張ったＦＲＰ製の浴槽１１内の底面１１Ａを床面１１Ｂとで二重底とし、床面１１Ｂとの間に僅かな隙間室Ｘを形成して多数の小孔Ａを底面１１Ａにあけた気泡面を形成している。上記隙間室Ｘ内に気泡発生器１５から空気Ｅを送り込み、お湯Ｗに気泡水Ｗ１を発生させる。尚、浴槽本体１０内の底面１１Ａには、排水弁Ｖが配置されている。
【０００３】
上記浴槽本体１０における隙間室Ｘによると、排水弁Ｖによる浴槽内のお湯抜きに際して、排水弁Ｖを開いて排水しても、隙間室Ｘ内に残る水の排水機能がない。このため、複数の入浴者が利用する気泡発生器付浴槽において、お湯Ｗの交換を行っても完全なお湯交換が行えず、衛生的といえない問題点がある。
【０００４】
【発明が解決しようとする課題】
本発明は、上記従来の気泡発生器付浴槽が持つ問題点に鑑みてなされたもので、浴槽内における隙間室内に残る水の排水を行う水抜装置を提供することを目的とするものである。
【０００５】
【課題を解決するための手段】
本発明の請求項１記載の気泡発生器付浴槽における水抜装置は、浴槽底面の下側に床面を設けて二重底とし、この床面と底面との間に隙間室を形成しするとともに、上側の底面に多数の小孔をあけた気泡面を形成し、上記床面上に水抜装置を配置したことを特徴とする。
【０００６】
請求項２記載の気泡発生器付浴槽における水抜装置は、請求項１記載の気泡発生器付浴槽における水抜装置において、上記床面に凹所を設け、この凹所に外部に貫通する排水管を直立させるとともに、この排水管の上部を底面の気泡面に支持させ、上記凹所に入口を持つ上記排水管の内部に開閉操作棒を螺入させ、上記開閉操作棒の操作により開口・閉口されることを特徴とする。
【０００７】
【作用】
本発明の請求項１によると、入浴後に浴槽内のお湯を排水した時、隙間室Ｘ内に残った水滴状の水は、この床面に配置した水抜装置ににより排水される。更に、隙間室Ｘ内に残る水滴は、これに圧入される圧縮空気Ｅにより水抜装置に吹き寄せられ、この水抜装置から完全排水される。
【０００８】
また、入浴後に浴槽内のお湯を排水した時、隙間室Ｘ内に残った水滴状の水は、水抜装置の開閉操作棒を上昇することで、隙間室Ｘ内のお湯Ｂおよび気泡水を床面の凹所から完全排水される。更に、隙間室Ｘ内に残った水滴状の水は、これに圧入される圧縮空気Ｅにより凹所に吹き寄せられ、ここから排水される。
【０００９】
【発明の実施の形態】
以下、本発明の技術を含んだ図面の実施形態で説明する。図１は本発明の気泡発生器付浴槽を示す全体の平面図であり、図２は本発明の水抜装置を示す断面図である。図３は要部の断面図である。そして、図４は本発明の水抜装置を示す断面図である。
【００１０】
上記気泡発生器付浴槽１００の実施形態を図１〜４で説明する。上記気泡発生器付浴槽１００の全体構成は、入浴者ＭをストレッチャーＳから担架１ごとＦＲＰ製の浴槽１０内の昇降台３により昇降して入浴させる浴槽本体２０と、上記浴槽本体２０の各種操作を行う操作部３０と、上記浴槽１０のお湯Ｗを殺菌循環させる循環濾過殺菌装置部４０とからなる。
【００１１】
上記気泡発生器付浴槽１００における操作部３０の下部空所には、気泡発生器１３を内蔵させるとともに、該気泡発生器１３に空気Ｅを送り込む吸引口３１とそのエアフィルタ３３を内装させている。尚、上記浴槽本体２０内には、昇降台３と浴槽本体２０を可逆方向に昇降させる油圧手段Ｏを内蔵する。
【００１２】
続いて、気泡発生器付浴槽１００の浴槽１０に関し、図２，３に示すように、上記浴槽（ＦＲＰ製）１０は、側壁面１１Ａと、この下方に連続する底面１１Ｂと、この底面１１Ｂの下方に床面１１Ｃを形成した二重底となっている。上記底面１１Ｂと床面１１Ｃとの空間に隙間室Ｘを形成している。上記底面１１Ｂは、表面全体に多数の小孔Ａをあけた気泡面１５を形成している。この小孔Ａから圧縮空気Ｅを吹き出すと、お湯Ｗと混ざって気泡水Ｗ１となる。
【００１３】
上記床面１１Ｃには、その側部（例えば、入浴者Ｍの足側となる隅部）に凹所１１Ｆを設け、ここに水抜装置６０を配置している。その構成は、凹所１１Ｆに外部に貫通する排水管５０を直立させるとともに、この排水管５０の上部５０Ａを底面１１Ｂに貫通して支持させている。上記排水管５０は、凹所１１Ｆの近傍に入口Ｂを開けており、この排水管の内部Ｃに設けた螺子Ｄに開閉操作棒５１を螺入している。これにより、上記開閉操作棒５１の下端部（弁体）５３は、排水管５０の弁座５２に係合され、開閉操作棒５１の右廻し又左廻しによる上動又は下動で開口又は閉口されるようになっている。しかして、図４，５において、開口時に経路７０が形成され、閉口時にこの経路７０が閉塞される。
【００１４】
尚、Ｅ１は、開口させる時の目印であり、Ｅ２はＯリングであって防水機能を果たしている。また、浴槽本体２０内の底面１１Ｂには、お湯Ｗの排水弁Ｖが配置されている。
【００１５】
本発明の水抜装置６０の実施形態は、上記のように構成されており、以下のように作用する。先ず、上記気泡発生器付浴槽１００によると、入浴者Ｍを担架１ごと昇降して入浴させる浴槽本体２０と、上記浴槽本体２０の操作を行う操作部３０と、上記浴槽本体のお湯Ｗを殺菌循環させる循環濾過殺菌装置部４０とにより、入浴者Ｍの入浴が楽しめる。
【００１６】
この入浴時は、上記排水弁Ｖが閉じられ、また、水抜装置６０の開閉操作棒５１のツマミ５５を右廻し経路７０が閉口されている。この状態にて、浴槽１０内にお湯Ｗが張られ、気泡発生器１３から空気Ｅが底面１１Ｂと床面１１Ｃとの空間の隙間室Ｘに送り込まれ、お湯Ｗと混ざった気泡水Ｗ１となって底面１１Ｂの小孔Ａから上方へ上昇し、入浴者Ｍの全身をマッサージする。
【００１７】
入浴後は、浴槽１０内の排水弁Ｖを開いて排水するとともに、水抜装置６０により、その開閉操作棒５１のツマミ５５を左廻しで上昇することで、開口して隙間室Ｘ内のお湯Ｗおよび気泡水Ｗ１が凹所１１Ｆから完全排水される。これで、入浴後の隙間室Ｘ内の気泡水Ｗ１の排水作用が円滑に行われると共に、隙間室Ｘ内の壁面に付着した水滴は、これに圧入される圧縮空気Ｅにより、凹所へ吹き寄せられ、残水を残さない。
【００１８】
更に、水抜装置６０は、浴槽１０の下面の隅部に設けているから、介助者による排水操作も浴槽の片隅部から容易に行える。
【００１９】
以上は、本発明の限られた実施形態を紹介したものであり、この実施形態に限定されず本発明要旨内での変形実施が可能である。例えば、水抜装置６０おける詳細構成は、上記図４，５のものに限定されないし、浴槽本体２０やこの付帯機器の形式や構成等にも限定されない。更に、一般の浴槽にも適用されること勿論である。
【００２０】
【発明の効果】
本発明の請求項１によると、入浴後に隙間室内に残った水及び水滴状の水は、水抜装置により排水されるとともに、この隙間室内に圧入される圧縮空気により水抜装置から完全排水される効果が発揮される。
【００２１】
また、水抜き装置は床面の隅部の凹所に設けてあるから、浴槽内のお湯及び気泡水を浴槽の床面隅部の凹所から効率良く排水されるとともに、隙間室の内壁面に付着した水滴が圧縮空気の吹き込みで、凹所側へ吹き寄せられ完全排水され、衛生的なお湯交換を可能とする効果が発揮される。
【００２２】
更に、水抜装置は、浴槽の床面の隅部に設けているから、入浴時に入浴者の邪魔にならないほか、介助者による排水操作も浴槽の片隅部から容易に行える効果がある。
【図面の簡単な説明】
【図１】本発明の入浴装置を示す全体の平面図である。
【図２】本発明の入浴装置を示す全体の断面図である。
【図３】本発明の入浴装置の要部の断面図である。
【図４】本発明の水抜装置の作用を示す断面図である。
【図５】本発明の水抜装置の作用を示す断面図である。
【図６】従来の入浴装置を示す全体の平面図である。
【図７】従来の水抜装置の断面図である。
【符号の説明】
１                    担架
３                    昇降台
１０                  浴槽
１１Ａ                側壁部
１１Ｂ                底面
１１Ｃ                床面
１１Ｆ                凹所
Ｘ                    隙間室
１３                  気泡発生器
２０                  浴槽本体
３０                  操作部
４０                  循環濾過殺菌装置部
Ｅ                    空気
Ｗ                    お湯
Ｗ１                  気泡
５０                  配水管
５１                  開閉操作棒
５２                  弁座
５３                  下端部（弁体）
６０                  水抜弁装置
７０                  経路
１００                気泡発生器付浴槽
【図１】
0003694163.tif 000002
【図２】
0003694163.tif 000003
【図３】
0003694163.tif 000004
【図４】
0003694163.tif 000005
【図５】
0003694163.tif 000006
【図６】
0003694163.tif 000007
【図７】
0003694163.tif 000008